(57)【要約】【課題】振分手段の作動内容が斬新であり、趣向性が高く、遊技者の遊技意欲を長期間に亘って高く保持することが可能な遊技機を提供する。【解決手段】パチンコ機は、遊技球が通過可能な通常領域である第一入球口７１および第二入球口７２と、特別領域である第三入球口７３と、回転軸５１を中心として回転することによりＵ字溝５３ａ，５３ｂ・・に貯留した遊技球を通常領域あるいは特別領域へ案内する上側回転部剤４４と、回転軸５２を中心として回転することによりＵ字溝５６ａ，５６ｂ・・に貯留した遊技球を通常領域あるいは特別領域へ案内する下側回転部剤４５とを備えた回転振分装置４１が設けられている。そして、その回転振分装置４１の上側回転部剤４４および下側回転部剤４５が、複数種類の回転速度で回転するように制御される。【選択図】図４
2020006100.tif 000002
【特許請求の範囲】
【請求項１】
流下した遊技球を遊技者にとっての利益が異なる２つの流路に振り分けるための振分手段を遊技盤面上に設けた遊技機であって、
前記振分手段が、
遊技球が通過可能な通常領域と、
遊技球が通過することによって通常領域を遊技球が通過した場合とは異なる利益を遊技者へもたらす特別領域と、
周縁際に遊技球を貯留可能な凹状部を設けた円盤状に形成されており、遊技盤面に垂直な軸を中心として回転することにより、凹状部に貯留した遊技球を、前記通常領域あるいは前記特別領域へ案内する回転案内手段とを備えているとともに、
その回転案内手段が、複数種類の回転速度で回転するように制御されることを特徴とする遊技機。
【請求項２】
前記振分手段が、前記回転案内手段を、前記凹状部に貯留した遊技球を前記通常領域へ案内可能な第一位置、および、前記凹状部に貯留した遊技球を前記特別領域へ案内可能な第二位置において、他の位置での回転速度より高い回転速度で回転するように制御するものであることを特徴とする請求項１に記載の遊技機。
【請求項３】
前記振分手段が、予め設定された複数種類の回転速度の変更パターンに基づいて前記回転案内手段の回転速度を変化させるものであることを特徴とする請求項１、または請求項２に記載の遊技機。
【発明の詳細な説明】
【技術分野】
【０００１】
本発明は、パチンコ機やスロットマシーン等の遊技機に関するものである。
【背景技術】
【０００２】
従来、遊技機の一種であるパチンコ機として、遊技球の流路を振り分けるための振分装置を遊技盤面に設けたものが知られている（特許文献１）。この特許文献１の振分装置は、モータによって一定のタイミングで回転する振分部材を備えており、遊技球が振分装置の進入口に進入すると、その遊技球が、回転している振分部材によって第１始動口または第２始動口の何れかに振り分けられるようになっている。
【先行技術文献】
【特許文献】
【０００３】
【特許文献１】特開２０１５−１２００６０号公報
【発明の概要】
【発明が解決しようとする課題】
【０００４】
しかしながら、上記特許文献１の如きパチンコ機は、振分装置による遊技球の流路を振り分ける作動内容が単純であるため、趣向性が低く、短期間の内に遊技者の遊技意欲を減退させてしまう事態が起こり得る。
【０００５】
本発明の目的は、振分手段の作動内容が斬新であり、趣向性が高く、遊技者の遊技意欲を長期間に亘って高く保持することが可能な遊技機を提供することにある。
【課題を解決するための手段】
【０００６】
かかる本発明のうち、請求項１に記載された発明は、流下した遊技球を遊技者にとっての利益が異なる２つの流路に振り分けるための振分手段を遊技盤面上に設けた遊技機であって、前記振分手段が、遊技球が通過（入球）可能な通常領域（入球口）と、遊技球が通過（入球）することによって通常領域を遊技球が通過（入球）した場合とは異なる利益を遊技者へもたらす特別領域（入球口）と、周縁際に遊技球を貯留可能な凹状部を設けた円盤状に形成されており、遊技盤面に垂直な軸を中心として回転することにより、凹状部に貯留した遊技球を、前記通常領域あるいは前記特別領域へ案内する回転案内手段とを備えているとともに、その回転案内手段が、複数種類の回転速度で回転するように制御されることを特徴とするものである。
【０００７】
請求項２に記載された発明は、請求項１に記載された発明において、前記振分手段が、前記回転案内手段を、前記凹状部に貯留した遊技球を前記通常領域へ案内可能な第一位置、および、前記凹状部に貯留した遊技球を前記特別領域へ案内可能な第二位置において、他の位置での回転速度より高い回転速度で回転するように制御するものであることを特徴とするものである。
【０００８】
請求項３に記載された発明は、請求項１、または請求項２に記載された発明において、前記振分手段が、予め設定された複数種類の回転速度の変更パターンに基づいて前記回転案内手段の回転速度を変化させるものであることを特徴とするものである。
【発明の効果】
【０００９】
請求項１に記載の遊技機は、振分手段の回転案内手段が複数種類の回転速度で回転するため、振分手段による遊技球の振り分け方法が、結果を予測し難い斬新なものであるので、趣向性が高く、遊技者の遊技意欲を長期間に亘って高く保持することができる。
【００１０】
請求項２に記載の遊技機は、遊技者が最も注目するタイミングで振分手段の回転案内手段の回転速度が変化するため、遊技球の振り分け方法がスリリングであるので、非常に趣向性が高く、遊技者の遊技意欲をきわめて長期間に亘って高く保持することができる。
【００１１】
請求項３に記載の遊技機は、予め設定された複数種類の回転速度の変更パターンに基づいて振分手段の回転案内手段の回転速度を変化させるものであるので、振分手段による遊技球の振り分け結果が非常に予測し難い上、回転案内手段の回転速度を変化させるための制御を行い易く、作動エラーが生じにくい。
【図面の簡単な説明】
【００１２】
【図１】パチンコ機を示す説明図（正面図）である。
【図２】遊技盤を示す説明図（正面図）である。
【図３】パチンコ機を示す説明図（背面図）である。
【図４】回転振分装置を示す説明図（正面図）である。
【図５】回転振分装置の作動内容を示す説明図（正面図）である。
【図６】回転振分装置の作動内容を示す説明図（正面図）である。
【図７】回転速度の変化パターンを示す説明図である。
【発明を実施するための形態】
【００１３】
以下、本発明の遊技機の一実施形態であるパチンコ機について、図面に基づいて詳細に説明する。
【００１４】
＜パチンコ機の構造＞
図１は、パチンコ機１を前面側から示した説明図である。図２は、遊技盤２を前面側から示した説明図である。図３は、パチンコ機１を後面側から示した説明図である。パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、機枠３に左端縁を軸として片開き可能に蝶着されており、その前扉４によって閉塞される遊技盤２の前方空間が遊技領域１６とされている。
【００１５】
当該遊技領域１６は、遊技盤２の前面に円弧状に配設された外レール２３および内レール２４等によって囲まれており、遊技領域１６の左部における両レール２３，２４の間が遊技球を遊技領域１６内へ打ち込むための発射通路１３とされている。また、遊技領域１６には、「０」〜「９」の数字からなる装飾図柄やキャラクター等を表示するための演出用表示部６、入球部４３ａに進入した遊技球を左右の遊技球通路４２ａ，４２ｂへ振り分けて流下させる振分手段である回転振分装置４１、回転振分装置４１から排出された遊技球を入球可能な始動口２２、下端縁を中心として回動する幅広な開閉扉を有する大入賞装置１７、遊技球が入賞可能な種々の電動役物や非電動役物装置、電飾部材等が設置されているとともに、多数の遊技釘が植設されている（なお、図２においては、電動役物、非電動役物装置等の入賞装置、電飾部材、遊技釘等の記載が省略されている）。また、遊技領域１６外となる遊技盤２の右下部には、第１特別図柄および第２特別図柄をそれぞれ別個に表示可能とした特別図柄表示部７８が設けられている。
【００１６】
また、図１の如く、機枠３の前面側であって遊技盤２の下方には、発射装置１０へ供給する遊技球を貯留するための供給皿７、および、供給皿７から溢れた遊技球を貯留するための貯留皿８が取り付けられており、供給皿７は前扉４の開放に伴い、貯留皿８はミドル枠５の開放に伴い、それぞれ機枠３に対して片開き可能となっている。さらに、貯留皿８の右側には、発射装置１０（図３参照）を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。さらに、前扉４の上部には、効果音や各種メッセージ等を報音するそれぞれ一対のスピーカ１４，１４が設けられている。加えて、前扉４の左右両側部には、パチンコ機１の遊技状態等に応じて点灯・点滅する複数のＬＥＤを内蔵したランプ部材１５，１５・・が設けられている。
【００１７】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、および、各制御装置・基板や装置・部材に電源電圧を供給するための電源装置２９等が設置されている。また、機枠３の後面側の中央上部には、合成樹脂製のカバー状に形成されたセンターカバー２１が装着されており、当該センターカバー２１の内部には、遊技に係る主たる制御（所謂「大当たり抽選」等）を実行するためのメイン制御装置６１、演出用表示部６における表示動作等を制御する表示制御装置６３、ランプ部材１５の点灯／点滅動作等を制御する発光制御装置６４、スピーカ１４からの報音動作を制御する音制御装置６５、および、表示制御装置６３や音制御装置６５等の動作を統合的に制御するサブ制御装置６２等が設置されている。
【００１８】
加えて、メイン制御装置６１は、始動口２２の入賞検知センサ（図示せず）、後述する回転振分装置４１の上側回転部材４４および下側回転部材４５を回転させるための駆動装置（ステッピングモータ）６７、回転振分装置４１の上側回転部材４４・下側回転部材４５の回転位相を検知するためのセンサ（図示せず）等とインターフェイスを介して接続されている。また、メイン制御装置６１には、ＲＯＭ，ＲＡＭ等の記憶手段６６が内蔵されており、当該記憶手段６６には、上側回転部材４４・下側回転部材４５の回転速度の制御に必要な各種のデータ（たとえば、上側回転部材４４・下側回転部材４５の回転速度を一定のパターンにしたがって変化させるための回転速度の変化パターン等）が記憶されている。
【００１９】
＜パチンコ機の特徴部分の説明＞
［回転振分装置の構造］
図４〜図６は、回転振分装置４１を示したものであり、回転振分装置４１は、矩形の平板状に形成された基板４２、透明な合成樹脂によって形成されたケース部材４３、扁平な円盤状に形成された回転案内手段である上側回転部材４４および下側回転部材４５、クルーン４６、上側回転部材４４・下側回転部材４５の回転位相を検知するセンサ（図示せず）等によって形成されている。
【００２０】
ケース部材４３は、上側回転部材４４および下側回転部材４５を収納するとともに、それらの上側回転部材４４・下側回転部材４５へ遊技球を導き、それらの上側回転部材４４・下側回転部材４５に保持された後に排出された遊技球を種々の部位へ導くための部材であり、遊技球を内部に入リ込ませて上側回転部材４４へ導く入球部４３ａ、上側回転部材４４を収納保持するための上側収納部４３ｂ、上側回転部材４４に保持された後に排出された遊技球を通常領域（入球口）である第一入球口７１へ導く第一導球部４３ｃ、下側回転部材４５を収納保持するための下側収納部４３ｅ、上側回転部材４４に保持された後に排出された遊技球を下側回転部材４５へ導く連絡導球部４３ｄ、下側回転部材４５に保持された後に排出された遊技球を通常領域（入球口）である第二入球口７２へ導く第二導球部４３ｆ、下側回転部材４５に保持された後に排出された遊技球を特別領域（入球口）である第三入球口７３へ導く第三導球部４３ｇが設けられている。
【００２１】
入球部４３ａは、互いに平行となるように設けられた２枚の鉛直板４７，４７によって形成されており、遊技球を入り込ませることができるようになっている。また、第一導球部４３ｃは、左下がりに傾斜するように設けられた遊技球通路の先端に、遊技球を受け止めて後方へ流下させるための三角形状の２枚の導球板４９，４９が後下がりに設けられており、それらの導球板４９，４９の後方に、遊技球を遊技盤２の盤面の裏側に導く第一入球口７１が設けられている。そして、遊技球通路部分の基端が、上側収納部４３ｂと連通しており、第一排出口３１を形成した状態になっている。
【００２２】
一方、連絡導球部４３ｄは、右下がりに傾斜した後に左下がりに傾斜して鉛直下方に伸張した略逆Ｓ字状の遊技球通路を形成している。そして、連絡導球部４３ｄの基端は、上側収納部４３ｂと連通しており、導出口３４を形成した状態になっており、連絡導球部４３ｄの先端は、下側収納部４３ｅと連通しており、第二入球部３５を形成した状態になっている。
【００２３】
また、第二導球部４３ｆは、右下がりに傾斜するように設けられた遊技球通路の先端に、第一導球部４３ｃと同様に、遊技球を受け止めて後方へ流下させるための三角形状の２枚の導球板４９，４９が後下がりに設けられており、それらの導球板４９，４９の後方に、遊技球を遊技盤２の盤面の裏側に導く第二入球口７２が設けられている。そして、遊技球通路部分の基端が、下側収納部４３ｅと連通しており、第二排出口３２を形成した状態になっている。
【００２４】
さらに、第三導球部４３ｇは、左下がりに傾斜するように設けられた遊技球通路の先端に、第一導球部４３ｃや第二導球部４３ｆと同様に、遊技球を受け止めて後方へ流下させるための三角形状の２枚の導球板４９，４９が後下がりに設けられており、それらの導球板４９，４９の後方に、遊技球をクルーン４６の上に導く第三入球口７３が設けられている。そして、遊技球通路部分の基端が、下側収納部４３ｅと連通しており、第三排出口３３を形成した状態になっている。
【００２５】
一方、上側回転部材４４は、扁平な円柱状（長手方向が遊技盤２の盤面に垂直な円柱状）に形成されており、中心を前後に貫通した回転軸５１を中心として回転可能になっている。また、上側回転部材４４の周縁際には、鉛直断面がＵ字状で遊技球を貯留可能な５個のＵ字溝５３ａ，５３ｂ，５３ｃ，５３ｄ，５３ｅが、前面から後面に至るように刻設されており、それらのＵ字溝５３ａ，５３ｂ・・が等間隔で（回転軸５１を中心として所定の角度毎に）配置された状態になっている。 また、下側回転部材４５は、上記した上側回転部材４４と同じ形状（扁平な円柱状体にＵ字溝５６ａ，５６ｂ，５６ｃ，５６ｄ，５６ｅを設けた形状）を有しており、上側回転部材４４と同様に、回転軸５２を中心として回転可能になっている。加えて、上側回転部材４４および下側回転部材４５は、図示しないセンサによって、その回転位相が検知されている。
【００２６】
さらに、クルーン４６は、一定の高さのガイド壁を周設した時計皿形状を有しており、遊技球が転動可能になっている。また、クルーン４６の底面には、遊技球を排出可能な排出口５４が設けられている。
【００２７】
＜パチンコ機の遊技内容＞
上記の如く構成されたパチンコ機１においては、遊技者は、ハンドル９を回動操作して発射装置１０を作動させ、発射通路１３を介して遊技球を遊技領域１６内へ打ち込み、遊技領域１６を流下させて回転振分装置４１内への進入（入賞）を狙う。
【００２８】
回転振分装置４１内へ入り込んだ遊技球は、上側回転部材４４および下側回転部材４５の回転によって、第一入球口７１、第二入球口７２あるいは第三入球口７３のいずれかに振り分けられ、第三入球口７３に振り分けられた遊技球のみ、クルーン４６を介して始動口２２に入賞する。そして、そのように遊技球が始動口２２に入賞すると、メイン制御装置６１によって内部抽選（所謂、「大当たり抽選」）が実行され、その「大当たり抽選」の結果が「大当たり」になると、特別図柄表示部７８および演出用表示部６にそれぞれ所定の「大当たり図柄」が確定表示される（たとえば、演出用表示部６に「７，７」が表示される）とともに、回転振分装置４１の右側に設けられた大入賞装置１７が所定の回数だけ断続的に開成する（扉部材が下端縁を中心として前方へ傾動する）。したがって、「大当たり状態」が生起した場合には、遊技者は、きわめて高い確率で多くの遊技球を獲得することが可能となる。
【００２９】
［回転振分装置の作動内容］
回転振分装置４１においては、パチンコ機１に電源が投入された後には、上側回転部材４４および下側回転部材４５が常時回転した状態となる。そして、入球部４３ａから入り込んだ遊技球が、上側回転部材４４のいずれかのＵ字溝５３ａ，５３ｂ・・に入り込み、その状態で上側回転部材４４の回転に伴って回転（円周状に移動）して、第一導球部４３ｃあるいは連絡導球部４３ｄのいずれかに導かれる（振り分けられる）。その結果、第一導球部４３ｃに導かれた遊技球は、第一入球口７１に入り込んで、遊技盤２の裏面側に導かれて入賞が検知された後に遊技球回収タンク（図示せず）を介して回収される。なお、第一入球口７１への入球が検知されると、払出装置１２によって、所定個数の遊技球が賞品球として供給皿７へ払い出される。
【００３０】
また、連絡導球部４３に導かれた遊技球は、下側回転部材４５のいずれかのＵ字溝５６ａ，５６ｂ・・に入り込み、その状態で下側回転部材４５の回転に伴って回転（円周状に移動）して、第二導球部４３ｆあるいは第三導球部４３ｇのいずれかに導かれる（振り分けられる）。その結果、第二導球部４３ｇに導かれた遊技球は、第二入球口７２に入り込んで、遊技盤２の裏面側に導かれて入賞が検知された後に遊技球回収タンク（図示せず）を介して回収される。なお、第二入球口７２への入球が検知されると、払出装置１２によって、所定個数の遊技球が賞品球として供給皿７へ払い出される。
【００３１】
一方、第三導球部４３ｇに導かれた遊技球は、第三入球口７３に入り込んで、クルーン４６に導かれて、クルーン４６の内部で転動した後に、排出口５４から排出されて、クルーン４６の下側に設置された始動口２２に入賞する。なお、始動口２２への入球が検知されると、払出装置１２によって、所定個数の遊技球が賞品球として供給皿７へ払い出される。また、始動口２２への入球が検知されると、上記の如く、メイン制御装置６１によって「大当たり抽選」が実行される。
【００３２】
また、回転振分装置４１においては、上記の如く、上側回転部材４４および下側回転部材４５が常時回転しているが、一定速度（角速度）の回転ではなく、メイン制御装置によって、回転速度を早くしたり遅くしたりするように制御される。
【００３３】
図５、図６は、上側回転部材４４および下側回転部材４５の回転速度を制御する様子を示したものである。上側回転部材４４は、図５（ａ）の如く、上側回転部材４４の各Ｕ字溝５３ａ，５３ｂ・・が導出口３４あるいは第一排出口３１と重ならない部位においては、予め設定された比較的に低い速度（たとえば、１秒間に１／３回転）で回転するように制御される。そして、図５（ｂ）の如く、上側回転部材４４の各Ｕ字溝５３ａ，５３ｂ・・が導出口３４あるいは第一排出口３１と重なり始めると、図示しないセンサ（回転位相検知センサ）がその状態を検知することにより、上側回転部材４４は、予め設定された比較的に高い速度（たとえば、１秒間に１回転）で回転するように制御される（すなわち、回転速度が上げられる）。
【００３４】
そして、図５（ｃ）の如く、上側回転部材４４の各Ｕ字溝５３ａ，５３ｂ・・が導出口３４あるいは第一排出口３１と重なり合っている間中、上側回転部材４４は、高い回転速度を維持するように制御され、図５（ｄ）の如く、上側回転部材４４の各Ｕ字溝５３ａ，５３ｂ・・が導出口３４あるいは第一排出口３１と重ならない状態になると、上側回転部材４４は、低い速度（たとえば、１秒間に１／３回転）で回転するように制御される（すなわち、回転速度が下げられる）。
【００３５】
回転振分装置４１の上側においては、上側回転部材４４が低い回転速度で回転している場合には、入球部４３ａからＵ字溝５３ａ，５３ｂ・・内に入り込んだ遊技球は、Ｕ字溝５３ａ，５３ｂ・・と導出口３４とが重なり合う位置において導出口３４に排出されるが、上記の如く上側回転部材４４の回転速度が上昇すると、Ｕ字溝５３ａ，５３ｂ・・と導出口３４とが重なり合う位置においても、遊技球にかかる重力と遠心力との関係で導出口３４から排出されず、Ｕ字溝５３ａ，５３ｂ・・内に入り込んだ状態で保持される事態が起こり得る。
【００３６】
また、上側回転部材４４が低い回転速度で回転している場合には、Ｕ字溝５３ａ，５３ｂ・・内に入り込んだ遊技球は、Ｕ字溝５３ａ，５３ｂ・・と第一排出口３１とが重なり合う位置において第一排出口３１に排出されるが、上側回転部材４４の回転速度が上昇すると、Ｕ字溝５３ａ，５３ｂ・・と第一排出口３１とが重なり合う位置においても第一排出口３１から排出されず、Ｕ字溝５３ａ，５３ｂ・・内に入り込んだ状態で保持される事態が起こり得る。
【００３７】
同様に、回転振分装置４１の下側においては、下側回転部材４５が低い回転速度で回転している場合には、第二入球部４３ａからＵ字溝５６ａ，５６ｂ・・内に入り込んだ遊技球は、Ｕ字溝５６ａ，５６ｂ・・と第二排出口７２とが重なり合う位置において第二排出口７２に排出されるが、上記の如く下側回転部材４５の回転速度が上昇すると、Ｕ字溝５６ａ，５６ｂ・・と第二排出口７２とが重なり合う位置においても、遊技球にかかる重力と遠心力との関係で第二排出口７２から排出されず、Ｕ字溝５６ａ，５６ｂ・・内に入り込んだ状態で保持される事態が起こり得る。
【００３８】
また、下側回転部材４５が低い回転速度で回転している場合には、Ｕ字溝５６ａ，５６ｂ・・内に入り込んだ遊技球は、Ｕ字溝５６ａ，５６ｂ・・と第三排出口３３とが重なり合う位置において第三排出口３３に排出されるが、下側回転部材４５の回転速度が上昇すると、Ｕ字溝５６ａ，５６ｂ・・と第三排出口３３とが重なり合う位置においても第三排出口３３から排出されず、Ｕ字溝５６ａ，５６ｂ・・内に入り込んだ状態で保持される事態が起こり得る。
【００３９】
したがって、上記の如く、上側回転部材４４および下側回転部材４５の回転速度が変化すると（高速になると）、遊技者は、入球部４３ａから上側回転部材４４のＵ字溝５３ａ，５３ｂ・・内に入り込んだ遊技球が、第一排出口３１から排出されて第一入球口７１に入球するのか、導出口３４から排出されて下側回転部材４５のＵ字溝５６ａ，５６ｂ・・内に入り込んだ後に、第二排出口３２から排出されて第二入球口７２に入球するのか、第三排出口３３から排出されて第三入球口７３に入球するのかを予測することが非常に困難となる。
【００４０】
＜パチンコ機の効果＞
パチンコ機１は、上記の如く、振分手段である回転振分装置４１が、遊技球が通過（入球）可能な通常領域（第一入球口７１および第二入球口７２）と、遊技球が通過（入球）することによって通常領域を遊技球が通過した場合とは異なる利益を遊技者へもたらす特別領域（第三入球口７３）と、回転軸５１を中心として回転することによりＵ字溝（凹状部）５３ａ，５３ｂ・・に貯留した遊技球を通常領域あるいは特別領域へ案内する回転案内手段である上側回転部剤４４と、回転軸５２を中心として回転することによりＵ字溝５６ａ，５６ｂ・・に貯留した遊技球を通常領域あるいは特別領域へ案内する回転案内手段である下側回転部剤４５とを備えているとともに、それらの上側回転部剤４４および下側回転部剤４５が、複数種類の回転速度で回転するように制御される。したがって、パチンコ機１は、振分手段による遊技球の振り分け方法が結果を予測し難い斬新なものであるので、趣向性が高く、遊技者の遊技意欲を長期間に亘って高く保持することができる。
【００４１】
また、パチンコ機１は、回転振分装置４１が、上側回転部剤４４および下側回転部剤４５を、Ｕ字溝５３ａ，５３ｂ・・あるいはＵ字溝５６ａ，５６ｂ・・に貯留した遊技球を通常領域へ案内可能な第一位置（すなわち、Ｕ字溝５３ａ，５３ｂ・・と第一排出口３１と重なる位置、および、Ｕ字溝５６ａ，５６ｂ・・と第二排出口３２とが重なる位置）、および、凹状部に貯留した遊技球を前記特別領域へ案内可能な第二位置（すなわち、Ｕ字溝５３ａ，５３ｂ・・と導出口３４とが重なる位置、および、Ｕ字溝５６ａ，５６ｂ・・と第三排出口３３とが重なる位置）において、他の位置での回転速度より高い回転速度で回転するように制御される。すなわち、パチンコ機１は、遊技者が最も注目するタイミングで回転振分装置４１の上側回転部剤４４および下側回転部剤４５の回転速度が変化するため、遊技球の振り分け方法がスリリングであるので、非常に趣向性が高く、遊技者の遊技意欲をきわめて長期間に亘って高く保持することができる。
【００４２】
＜遊技機の変更例＞
なお、本発明に係る遊技機の構成は、上記実施形態の構成に何ら限定されるものではなく、振分手段（回転案内手段）、演出表示部、始動口、大入賞装置等の形状、構造等の構成や、「大当たり状態」の生起時の作動内容等の遊技内容等を、本発明の趣旨を逸脱しない範囲で必要に応じて適宜変更することができる。
【００４３】
たとえば、本発明に係る遊技機は、上記実施形態の如く、上側回転部材と下側回転部材との２つの回転案内手段を設けたものに限定されず、単一の回転案内手段を設けたものや３個以上の回転案内手段を設けたものに変更することも可能である。
【００４４】
また、本発明に係る遊技機は、上記実施形態の如く、回転振分装置の回転案内手段（上側回転部材および／または下側回転部材）に５個のＵ字溝が設けられたものに限定されず、４個以下あるいは６個以上のＵ字溝が設けられたものでも良い。さらに、回転案内手段に設けられたすべてのＵ字溝の形状が同一であるものに限定されず、異なった形状のＵ字溝が設けられたものでも良い。加えて、本発明に係る遊技機は、上記実施形態の如く、上側回転部材の形状と下側回転部材の形状とが同一であるものに限定されず、形状の異なる複数の回転案内手段を有する振分手段が設けられたものでも良い。
【００４５】
さらに、本発明に係る遊技機は、上記実施形態の如く、上側回転部材の回転周期と下側回転部材の回転周期とが同期するように制御されるものに限定されず、上側回転部材の回転周期と下側回転部材の回転周期とが異なるように制御されるものでも良い。なお、上側回転部材の回転周期と下側回転部材の回転周期とを同期させる場合には、単一の駆動装置によって上側回転部材および下側回転部材を回転制御することが可能となる、というメリットがある。
【００４６】
一方、本発明に係る遊技機は、上記実施形態の如く、回転振分装置の回転案内手段の回転速度がメイン制御装置によって制御されるものに限定されず、サブ制御装置等のメイン制御装置以外の制御装置によって回転振分装置の回転案内手段の回転速度が制御されるもの等に変更することも可能である。
【００４７】
また、本発明に係る遊技機は、上記実施形態の如く、回転振分装置の回転案内手段が、所定の回転位相において速度を変化させるものに限定されず、予め定められた時点（たとえば、電源投入時）からの所定時間の経過等の所定のタイミングで、回転案内手段の回転速度を変化させるもの等に変更することも可能である。
【００４８】
そのような構成を採用する場合には、たとえば、遊技機の制御装置（メイン制御層等）の記憶手段に、回転案内手段の回転速度の変更パターンを記憶させておき、予め定められた時点（たとえば、電源投入時）から、その回転速度の変更パターンにしたがって、回転案内手段の回転速度を変化させることも可能である。
【００４９】
図７は、回転振分装置の回転案内手段の回転速度の変更パターンの一例を示したものである。かかる変更パターンにしたがって回転案内手段の回転速度を制御する場合には、まず、第一モードとして、回転案内手段の駆動装置（ステッピングモータ）の駆動態様を“１００”ステップ（１００のパルス信号により１回転）とするとともに、“５００”ＰＰＳ（Ｐｕｌｓｅ  Ｐｅｒ  Ｓｅｃｏｎｄ）（すなわち、１秒間に５００個のパルス信号の送信）の送信態様で電源投入（入力）することによって、回転案内手段を１秒間に５回転させる回転速度で予め設定された時間（たとえば、０．５秒間）だけ回転させる。そして、そのように第一モードとして、所定の回転速度で回転案内手段を回転させた後には、第二モードとして、回転案内手段の駆動装置（ステッピングモータ）の駆動態様を“８０”ステップとするとともに、“２５０”ＰＰＳのの送信態様で電源投入することによって、回転案内手段を１秒間に約３．１回転させる回転速度で予め設定された時間（たとえば、０．５秒間）だけ回転させる。さらに、そのように第二モードとして、所定の回転速度で回転案内手段を回転させた後には、第三モード、第４モード・・・第９モード、第１０モードでの駆動態様・電源投入による回転案内手段の回転速度制御を実行する。そして、上記の如く、第一モード〜第１０モードでの駆動態様・電源投入による回転案内手段の回転速度制御を実行した後には、再度、第一モード〜第１０モードでの駆動態様・電源投入による回転案内手段の回転速度制御を繰り返し実行する。
【００５０】
上記の如く、遊技機を、予め設定された変更パターンにしたがって所定のタイミングで回転案内手段の回転速度を変化させるものとした場合には、振分手段による遊技球の振り分け結果が非常に予測し難いものとなる上、回転案内手段の回転速度を変化させるための制御が行い易くなり、作動エラーが生じにくいものとなる、というメリットがある。
【００５１】
なお、特許請求の範囲、明細書および図面に記載される全ての要素（たとえば、振分手段（回転案内手段）、演出表示部、始動口、大入賞装置等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、上述した全ての要素のうちの複数の要素を一体的に構成するか、もしくは一つの要素を複数の要素に分けて構成するかは、あえて特許請求の範囲等において特定していない限り、いずれも当業者であればきわめて容易に考えられる事項であるため、あえて明細書等において全パターンを記載しなくてもいずれのパターンも想定範囲内であることが明らかであることから、本発明に係る権利範囲に含まれることに疑いの余地はない。したがって、その程度の範囲内での構成上の差異しかない遊技機を、本実施例に記載がなされていないことを理由にするのみでは、本発明に係る権利を回避したことにはならない。その他、各要素の構成や形状等における、本実施例から当業者であれば容易に考えられる自明な範囲の差異についても同様である。
【符号の説明】
【００５２】
１・・パチンコ機（遊技機）
２・・遊技盤
１７・・大入賞装置
２２・・始動口
４１・・回転振分装置（振分手段）
４４・・上側回転部材（回転案内手段）
４５・・下側回転部材（回転案内手段）
５１，５２・・回転軸
５３ａ，５３ｂ，５３ｃ，５３ｄ，５３ｅ・・Ｕ字溝（凹状溝）
５６ａ，５６ｂ，５６ｃ，５６ｄ，５６ｅ・・Ｕ字溝（凹状溝）
６１・・メイン制御装置
６６・・記憶手段
６７・・駆動装置
７１・・第一入球口（通常領域（入球口））
７２・・第二入球口（通常領域（入球口））
７３・・第三入球口（特別領域（入球口））
【図１】
2020006100.tif 000003
【図２】
2020006100.tif 000004
【図３】
2020006100.tif 000005
【図４】
2020006100.tif 000006
【図５】
2020006100.tif 000007
【図６】
2020006100.tif 000008
【図７】
2020006100.tif 000009